Podtech/llm-jp-corpus-v4-ja_patent huggingface dataset:
(57)【要約】【課題】バーコードの読み取りによって得られた情報などのデジタル情報を元にダンジョン（迷路状の構造物）情報を作成することによって、ダンジョンに関するゲームのもつゲーム性を従来のゲームより増大させること。日常のどこにでもある１次元バーコードや２次元バーコードを利用してコース情報を生成し、プレイヤーの興味を持続させること。【解決手段】入力手段、制御手段、表示手段または出力手段、記憶手段を備え、操作により情報処理が行われるシステムであって、バーコード情報等を読み取る情報入力手段と、バーコード情報等を記憶する情報記憶手段と、バーコード情報等からダンジョン情報に変換する処理手段と、ダンジョン情報を画面に出力する表示手段または出力手段と、表示されたダンジョン情報をもとにダンジョンに関するゲームを行う操作手段と、当該ゲームの結果を記憶する記憶手段と、を具備するダンジョンに関するゲームシステム。【選択図】図１
2007159827.tif 000002
【特許請求の範囲】
【請求項１】
入力手段、制御手段、表示手段または出力手段、記憶手段を備え、操作により情報処理が行われるシステムであって
バーコード情報を読み取る情報入力手段と、
バーコード情報を記憶する情報記憶手段と、
バーコード情報からダンジョン（迷路状の構造物）情報に変換する処理手段と、
ダンジョン情報を画面に出力する表示手段または出力手段と、
表示されたダンジョン情報をもとにダンジョンに関するゲームを行う操作手段と、
当該ゲームの結果を記憶する記憶手段と、
を具備してなるダンジョンに関するゲームシステム。
【請求項２】
前記に記載のバーコードに加え他の文字・画像情報などのデジタル情報をも読み取る対象とすること特徴とする請求項１に記載のダンジョンに関するゲームシステム。
【請求項３】
前記に記載のバーコードや他の文字情報・画像などのデジタル情報が持つ本来の情報とその情報を変換して得られたダンジョンの情報との間の関係は一意であるも、ゲーム利用者には不明であることを特徴とする請求項１に記載のダンジョンに関するゲームシステム。
【発明の詳細な説明】
【技術分野】
【０００１】
本発明は、入力手段、制御手段、表示手段または出力手段、記憶手段を備え、操作により情報処理が行われるシステム上で動作する、バーコード情報や他の文字・画像情報などのデジタル情報を利用した、ダンジョン（迷路状の構造物）に関するゲームシステムに関する。
【背景技術】
【０００２】
従来のコンピュータ等によるダンジョンに関するゲームでは、あらかじめ用意されたダンジョン情報をもとにプレイするか、あるいはインターネットなどのネットワークを通じて外部から入手したダンジョン情報をもとにプレイするかのいずれかがほとんどである。この方法ではダンジョンに関するゲームを行う者にとり、ダンジョン情報自体はあらかじめ設定された範囲内のものでゲーム性が低い。
【特許文献１】登録実用新案第３０９４０４６号広報
【発明の開示】
【発明が解決しようとする課題】
【０００３】
そこで本発明では、バーコード情報や他の文字・画像情報などのデジタル情報の読み取りによって得られた情報を元にダンジョン情報を作成してダンジョンに関するゲームを行う者の興味を喚起・持続させようとするものである。ダンジョン情報とは、迷路状の構造物の形・大きさ・階層数・迷路の形状・階段の位置、ダンジョンに出現するモンスターの数と種類、プレイヤーが拾得するべきアイテムの種類・属性・置き場所などである。
【課題を解決するための手段】
【０００４】
上述の如き本発明の目的を達成するために、本願の請求項１に係る発明では、入力手段、制御手段、表示手段または出力手段、記憶手段を備え、操作により情報処理が行われるシステムであって、バーコード情報や他の文字・画像情報などのデジタル情報を読み取る情報入力手段と、バーコード情報を記憶する情報記憶手段と、バーコード情報からダンジョン情報に変換する処理手段と、ダンジョン情報を画面に出力する表示手段または出力手段と、表示されたダンジョン情報をもとにダンジョンに関するゲームを行う操作手段と、ダンジョンに関するゲームの結果を記憶する記憶手段と、を具備してなるダンジョンに関するゲームシステムを提供する。
【０００５】
本願の請求項２に係る発明では、１次元バーコードや２次元バーコードの何れかであることを特徴とする請求項１に記載のダンジョンに関するゲームシステムを提供する。
本願の請求項３に係る発明では、前記に記載のバーコードや他の文字・画像情報などのデジタル情報が持つ本来の情報とその情報を変換して得られたダンジョンの情報との間の関係が一意であるも、ゲーム利用者には不明であることを特徴とする請求項１に記載のダンジョンに関するゲームシステムを提供する。
【発明の効果】
【０００６】
本発明によれば、バーコードや他の文字・画像情報の読み取りによって得られた情報を元にダンジョン情報を作成することによって、ダンジョンに関するゲームのもつゲーム性を従来のゲームより増大させることの可能なシステムを提供することができる。日常のどこにでもある１次元バーコードや２次元バーコードなどを読み取る毎に新規のダンジョン情報が生成されるため、プレイヤーの興味が持続される。バーコード情報などがダンジョン情報に変換される意外性もプレイヤーの興味の喚起に貢献する。
【発明を実施するための最良の形態】
【０００７】
次に、本発明の１実施の形態を、図面を用いて説明する。
【０００８】
本発明に係るダンジョンに関するゲームシステムは、図１に示すように、基本的には、バーコードや他の文字・画像情報などのデジタル情報を読み取る情報入力手段２、バーコードや他の文字・画像情報などのデジタル情報を記憶する情報記憶手段３、バーコードや他の文字・画像情報などのデジタル情報を解読しその解読結果に応じてダンジョン情報に変換する処理手段４、ダンジョン情報を画面に出力する表示または出力手段５、表示されたダンジョン情報をもとにダンジョンに関するを行う実行・操作手段６、ダンジョンに関するゲームの結果を記憶する記憶手段７の各要素からなる。
【０００９】
各手段は数字の順のステップで進む。
書籍に記載されたＱＲコードのようなデジタル情報１を、情報入力手段２たとえばカメラ付きの携帯端末によって取込む。
【００１０】
取込まれたバーコードや他の文字・画像情報などのデジタル情報は情報記憶手段３により記憶される。
【００１１】
情報記憶手段３により記憶されたバーコードや他の文字・画像情報などのデジタル情報は、処理手段４により、解読されその解読結果に応じてダンジョン情報に変換される。ダンジョン情報とは、迷路状の構造物の形・大きさ・回数・迷路の形状・階段の位置、出現するモンスターの数と種類、プレイヤーが拾得するべきアイテムの種類・属性・置き場所などである。生成されるダンジョン情報はバーコード情報毎にユニークである。
【００１２】
情報記憶手段４により生成されたダンジョン情報は、表示または出力手段５により画面に出力される。
【００１３】
表示または出力手段５により画面に出力されたダンジョン情報をもとに、実行・操作手段６を用いてダンジョンに関するゲームが行われる。
【００１４】
実行・操作手段６を用いて行われるダンジョンに関するゲームの結果は記憶手段７により記憶される。
【図面の簡単な説明】
【００１５】
【図１】本発明の実施形態を示すフロー図
【図１】
2007159827.tif 000003
(57)【要約】【課題】配線用管材内を挿通させるケーブルと配線用管材の内壁面との接触抵抗を小さくして、ケーブルの挿通を容易にすることができる配線用管材を提供すること【解決手段】電線や光ファイバなどのケーブルを保護する配線用管材Ａであって、管壁１を山部２と谷部３とを交互に連続させた波形状に形成するとともに、該谷部３を第１の谷部３ａと第２の谷部３ｂとで構成し、第１の谷部３ａと第１の谷部３ａとの間に複数の第２の谷部３ｂを配置するとともに、第１の谷部３ａの内径Ｌ１を第２の谷部３ｂの内径Ｌ２よりも小さくした。【選択図】図１
2007159198.tif 000002
【特許請求の範囲】
【請求項１】
電線や光ファイバなどのケーブルを保護する配線用管材であって、管壁を山部と谷部とを交互に連続させた波形状に形成するとともに、該谷部を第１の谷部と第２の谷部とで構成し、第１の谷部と第１の谷部との間に複数の第２の谷部を配置するとともに、第１の谷部の内径を第２の谷部の内径よりも小さくしたことを特徴とする配線用管材。
【請求項２】
前記配線用管材の管壁を少なくとも２層にし、外側の層は耐候性を有する樹脂で、内側の層は摺動性を有する樹脂で構成した、請求項１記載の配線用管材。
【発明の詳細な説明】
【技術分野】
【０００１】
本発明は、配線用管材、詳しくは管壁を山部と谷部とを交互に連続させた波形状の配線用管材であってケーブルの挿通が円滑になるようにした配線用管材に関するものである。
【背景技術】
【０００２】
従来、電線や光ファイバなどのケーブルを挿通保護する配線用管材は樹脂で管壁を管軸方向に凹凸波形状に形成して外圧に耐えられるようにするとともに、可撓性を備え設置性の向上を図ったものが提案されている（例えば、特許文献１）。この配線用管材は管壁を凹凸波形状に形成し、凸波形部分の頂上部をほぼ平坦面とし、凸波形の幅を凹波形の底部の幅よりも広くしたもので、この配線用管材を大口径の管内に挿入する際、凸波形の平坦面どうしが常に接触することになり、配線用管材の凹凸部分が互いに噛み合って挿入を阻害したり挿入不能状態に陥るようなことがないようにしたものである。
【特許文献１】特開平１１−４１７７２号公報
【発明の開示】
【発明が解決しようとする課題】
【０００３】
本発明が解決しようとする問題点は、上述の配線用管材は大口径の管に挿入する際には他の配線用管材と噛み合うことがなくスムーズに挿入することができるが、凹波形の内径が全て等しいため、配線用管材自体にケーブルを挿通する際は、ケーブルが内周面に突出した内壁全てに接触した状態で挿通することになり、ケーブルと配線用管材の内壁との接触抵抗が大きくなり、ケーブル挿通がしにくくなる問題があった。
【０００４】
本発明は、上記問題点を解決し、配線用管材内に挿通するケーブルと配線用管材の内壁面との接触抵抗を小さくして、ケーブルの挿通を円滑にすることができる配線用管材を提供することを課題とする。
【課題を解決するための手段】
【０００５】
前記課題を解決するために本発明に係る配線用管材は、電線や光ファイバなどのケーブルを保護する配線用管材であって、管壁を山部と谷部とを交互に連続させた波形状に形成するとともに、該谷部を第１の谷部と第２の谷部とで構成し、第１の谷部と第１の谷部との間に複数の第２の谷部を配置するとともに、第１の谷部の内径を第２の谷部の内径よりも小さくしたことを特徴とする。
【０００６】
なお、前記配線用管材の管壁を少なくとも２層にし、外側の層は耐候性を有する樹脂で、内側の層は摺動性を有する樹脂で構成することが好ましい。
【発明の効果】
【０００７】
請求項１の発明によれば、ケーブルを管材に挿通する際、管材の内壁とケーブルの被覆との間の接触抵抗を減らすことができ、ケーブルの通線を円滑にすることができる配線用管材を実現することができる。
【０００８】
請求項２の発明によれば、管壁を２層にし、内管壁を摺動性を有する樹脂、外管壁を耐侯性を有する樹脂を用いて成型することにより、内管の弱点を外管で補完することができ、設置環境の影響を受けることのない配線用管材を提供することができる。
【発明を実施するための最良の形態】
【０００９】
図１は、本発明に係る配線用管材Ａの正面図及び側面図を示し、この配線用管材Ａは電線や光ファイバなどのケーブルを管内に通線し、ケーブルを保護するために使用するものである。この配線用管材Ａは、押し出し成型で管壁１を山部２と谷部３とを交互に連続させた波形状に形成したもので、谷部３は第１の谷部３ａと第２の谷部３ｂとから構成され、上記第１の谷部３ａは一定間隔をおいて形成されている。本発明の実施の形態では第１の谷部３ａと第１の谷部３ａとの間に２つの第２の谷部３ｂが配置されるように形成されているもので、図２の端面図に示すように、上記第１の谷部３ａの内径Ｌ１は第２の谷部３ｂの内径Ｌ２よりもやや小さく形成されているものである。
【００１０】
上記構成の配線用管材Ａによれば、管内にケーブル５を挿通する際、ケーブル５は、図３（ａ）（ｂ）に示すように、第２の谷部３ｂの内壁には接触することなく、第１の谷部３ａの内壁にのみ接触しながら挿通されるので、ケーブル５が谷部の内壁に接触して生じる接触抵抗は、谷部の内径が全て同じ配線用管材に比べて３分の１に減少するので、ケーブル５の挿通時の接触抵抗が少なくなり、ケーブル５の通線を円滑にすることができる。
【００１１】
なお、図４は、上記配線管材の管壁１を２層で構成した配線用管材Ａ´を示し、この配線用管材Ａ´は内側の層１ａをポリエチレン等の摺動性に優れた樹脂を押し出し成型で形成し、外側の層１ｂを塩化ビニル等の耐侯性に優れた樹脂で押し出し成型したものであり、この成形は特殊ノズルを使用して外側材料を最初に射出成形し、数ｃｍから数十ｃｍ後段に内側材料の射出口を設けて連続成形する公知の押し出し成型方法で成型することができる。
【００１２】
上記構成の配線用管材Ａ´によれば、内側の層１ａを摺動性のよい樹脂で構成することによりケーブルの挿通が楽にできるが、この樹脂が耐候性も備えているとは限らないので、そのような場合には外側の層１ｂを耐候性の高い樹脂にすることで直射日光や雨、風など季節にかかわりなく、屋外で長期間使用できる配線用管材Ａ´を作ることができる。
【００１３】
なお、外側の樹脂は耐侯性に加え自己消火性を有する樹脂で成型することが好ましい。このことにより難燃性にも優れた配線用管材Ａ´を実現することができるので、配線用管材Ａ´を使用される場所に応じた性質を備えた樹脂で２層構造の配線用管材を構成すればよい。
【図面の簡単な説明】
【００１４】
【図１】（ａ）（ｂ）は本発明に係る配線用管材の正面図及び側面図
【図２】図１のＸ部分のＹ−Ｙ´線拡大端面図
【図３】（ａ）（ｂ）は上記配線用管材にケーブルを通線した状態を示す配線用管材の要部断面図及び側面図
【図４】（ａ）（ｂ）は上記配線用管材の他の例を示す要部断面図及び側面図
【符号の説明】
【００１５】
１    管壁
２    山部
３    谷部
３ａ    第１の谷部
３ｂ    第２の谷部
Ａ    配線用管材
【図１】
2007159198.tif 000003
【図２】
2007159198.tif 000004
【図３】
2007159198.tif 000005
【図４】
2007159198.tif 000006
(57)【要約】【課題】  本発明は、鎌体を一体型に形成して製作工程の合理化を図り、湾曲形成した湾曲グリップ螺着部により、握り手グリップでの握持位置を適宜に変位し、最適な草刈角度が得られ、ツタや雑木などの混在する場所での刈り取り作業の状況に対応し、刃体部に設けた鉈刃渡り部や、支保部に設けた鋸刃を使用することで作業の効率を図り、鎌を握る時のフイット感とともに、握力疲労を軽減した鎌体一体型草刈鎌を得る。【解決手段】  平板状の逆Ｌ字形で刃体部と支保部との構成一体となる鎌体を形成し、上部の刃体部の内側となる横方向に鎌刃渡り部を形成し、刃体部の背部後端に突起部と垂直となる鉈刃渡り部を設け、刃体部から下方に延長した支保部の内側で垂直となる適宜位置に鋸刃を設け、支保部の下方の適宜位置に湾曲形成した湾曲グリップ螺着部を形成し、湾曲グリップ螺着部に複数個のネジ孔をあけ握り手グリップを螺着した。【選択図】図２
2007159555.tif 000002
【特許請求の範囲】
【請求項１】
平板状の逆Ｌ字形で刃体部と支保部との構成一体となる鎌体を形成し、上部の刃体部の内側となる横方向に鎌刃渡り部を形成し、刃体部の背部後端に突起部と垂直となる鉈刃渡り部を設け、刃体部から下方に延長した支保部の内側で垂直となる適宜位置に鋸刃を設け、支保部の下方の適宜位置に湾曲形成した湾曲グリップ螺着部を形成し、湾曲グリップ螺着部に複数個のネジ孔をあけ握り手グリップを螺着したことを特徴とする鎌体一体型草刈鎌。
【請求項２】
湾曲グリップ螺着部に螺着した握り手グリップにおいて、握持位置を適宜に変位し、最適な草刈角度が得られ、作業時の握力疲労を軽減した請求項１記載の鎌体一体型草刈鎌。
【請求項３】
刈り取り作業状況に対応し、刃体部の鉈刃渡り部と支保部の鋸刃が使用できる請求項１記載の鎌体一体型草刈鎌。
【請求項４】
湾曲握り手部に螺着するグリップが弾性である請求項１記載の鎌体一体型草刈鎌。
【請求項５】
湾曲握り手部に螺着するグリップがプラスチックである請求項１記載の鎌体一体型草刈鎌。
【請求項６】
湾曲握り手部に螺着するグリップが木製である請求項１記載の鎌体一体型草刈鎌。
【発明の詳細な説明】
【技術分野】
【０００１】    本発明は、鎌体一体型草刈鎌に関する。
【背景技術】
【０００２】
【特許文献１】    特願  ２０００−１３９５５２    特開  ２００１−３２０９０１
【特許文献２】    特願  ２０００−１６２０５２    特開  ２００１−３４００１０
【特許文献３】    特願  ２００１−５５８５２      特開  ２００２−２５３０１８
【特許文献４】    特願  ２００４−１３０４９４    特開  ２００５−２７８６２０
【発明の開示】
【発明が解決しようとする課題】
【０００３】    従来、草刈鎌においては刃板部と柄部との構成となり、鎌を握る時のフィット感がなく、握力疲労もあり、製作工程上で合理化し難いことや、草に混じりツタや雑木などの刈り取り作業の状況に対応し難い問題があった。【０００４】    本発明は、鎌体を一体型に形成して製作工程の合理化を図り、湾曲形成した湾曲グリップ螺着部により、握り手グリップでの握持位置を適宜に変位し、最適な草刈角度が得られ、ツタや雑木などの混在する場所での刈り取り作業の状況に対応し、刃体部に設けた鉈刃渡り部や、支保部に設けた鋸刃を使用することで作業の効率を図り、鎌を握る時のフイット感とともに、握力疲労を軽減した鎌体一体型草刈鎌の提供を目的とするものである。
【課題を解決するための手段】
【０００５】    前記の課題を達成するため、平板状の逆Ｌ字形で刃体部と支保部との構成一体となる鎌体を形成し、上部の刃体部の内側となる横方向に鎌刃渡り部を形成し、刃体部の背部後端に突起部と垂直となる鉈刃渡り部を設け、刃体部から下方に延長した支保部の内側で垂直となる適宜位置に鋸刃を設け、支保部の下方の適宜位置に湾曲グリップ螺着部を形成し、湾曲グリップ螺着部に複数個のネジ孔をあけて握り手グリップを螺着した手段を講ずる。【０００６】    また、湾曲グリップ螺着部に螺着した握り手グリップにおいて、握持位置を適宜に変位し、最適な草刈角度が得られ、作業時の握力疲労を軽減してもよい。【０００７】    そして、刈り取り作業状況に対応し、刃体部の鉈刃渡り部と支保部の鋸刃が使用できることが好ましい。【０００８】    そして、湾曲グリップ螺着部に螺着する握り手グリップが弾性であってもよい。【０００９】    また、湾曲グリップ螺着部に螺着する握り手グリップがプラスチックであってもよい。【００１０】    さらに、湾曲グリップ螺着部に螺着する握り手グリップが木製であってもよい。
【発明の効果】
【００１１】    本発明の鎌体一体型草刈鎌において、平板状で逆Ｌ字形の一体型鎌体を形成したことで、製作工程の合理化を図ることができ、また、刈り取り作業状況に対応し、刃体部に鉈刃渡り部と支保部に鋸刃を設けることで、ツタや雑木などの刈り取り作業も容易にできて作業効率が上がるとともに、握り手グリップが湾曲となるので、握持位置を適宜に変位させて、刈りやすい角度変えとともに握力疲労の軽減ができるものである。
【発明の実施するための最良の形態】
【００１２】    以下、本発明の実施の形態を図面にもとづいて説明する。
【００１３】    図１〜図２に示す実施例では、平板状１の逆Ｌ字形２で刃体部３と支保部４との構成一体となる鎌体５を形成し、上部の刃体部３の内側となる横方向に鎌刃渡り部６を形成し、刃体部３の背部後端に突起部７と垂直となる鉈刃渡り部８を設け、刃体部３から下方に延長した支保部４の内側で垂直となる適宜位置に鋸刃９を設け、支保部４の下方の適宜位置に湾曲グリップ螺着部１０を形成し、湾曲グリップ螺着部１０に複数個のネジ孔１１をあけて握り手グリップ１２を螺着している。
【００１３】    そして、図３に示す実施例では、湾曲グリップ螺着部１０の握り手グリップ１２において、握持位置１３を適宜に変位させ、最適な草刈角度１４が得られ、作業時の握力疲労を軽減できるようにしている。
【００１４】    そして、湾曲グリップ螺着部に螺着する握り手グリップを弾性となる。
【００１５】    また、そして、湾曲グリップ螺着部に螺着する握り手グリップがプラスチックとなる。
【００１６】    さらに、湾曲グリップ螺着部に螺着する握り手グリップが木製となる。
【図面の簡単な説明】
【００１７】
【図１】  本発明の一体形成の鎌体を示す平面図である。
【図２】  本発明の実施例を示す斜視図である。
【図３】  本発明の握り手グリップの握持位置を適宜に変位させ、最適な草刈角度が得られる実施例を示す平面展開図である。
【符号の説明】
【００１８】    １  平板状
２  逆Ｌ字形
３  刃体部
４  支保部
５  鎌体
６  鎌刃渡り部
７  突起部
８  鉈刃渡り部
９  鋸刃
１０  湾曲グリップ螺着部
１１  ネジ孔
１２  握り手グリップ
１３  握持位置
１４  草刈角度
１５  ネジ
【図１】
2007159555.tif 000003
【図２】
2007159555.tif 000004
【図３】
2007159555.tif 000005
(57)【要約】【課題】多くの人の肥満を解消し食生活を通じて健康に貢献を為すコンニヤク食品の開発を目指すものである【解決手段】日常的に食するコンニヤク食品の、カロリーの低さと、食品としての難消化性の、特質を利用し、コンニヤク食品に白金粉を添加し、白金粉の活性化酸素除去機能を体内に長時間保持させる新規な食品物質のコンニヤク食品を発明したものである【特許請求の範囲】
【請求項１】
コンニヤクに白金粉を添加することを特徴とするコンニヤク
【発明の詳細な説明】
【技術分野】
【０００１】  本発明は、コンニヤクに関するものである
【背景技術】
【０００２】コンニヤクは日本の伝統食品の一つである、然るに食品中に含まれるカロリーはゼロに等しく、又、食した場合、難消化性食品の一つでもあり、特異な特質を持つ食品である、このため、現在病の肥満対策に色々と研究されている食品である
【発明の開示】
【発明が解決しようとする課題】
【０００３】そこでカロリーがゼロに等しいコンニヤクの特質と、難消化性食品の性質を利用して、より有用性に勝る食品を開発せんとしたものである
【課題を解決するための手段】
【０００４】コンニヤクに、食品添加物として国からも認可なされている白金粉の添加をなし、より、健康に貢献する安全な食品物質の発明を為したものである
【発明の効果】
【０００５】即ち、白金粉をコンニヤクに添加することにより、コンニヤクの従来のゼロカロリーの特質と、難消化性の特質が、体内に白金の薬効が滞留する時間を引き延ばし、白金の活性化酸素を除去する効果に優位を得るものであり、健康に大いに貢献をなす食品が得られるものである、【０００６】又、コンニヤクは日常的に食されるものであり、特別な意識がなくとも、自然に健康に貢献を為すものである
【発明を実施するための最良の形態】
【０００７】コンニヤクの製造を為す過程の任意の段階で、白金粉を添加することが可能である、が、凝固剤を添加する段階で白金粉を混入させるのが最良である
そして、その後は、成型、切断、ボイル、を為すものであり、従来の製法となんら変わるものはなく、本発明の健康に貢献する従来にない食品物質のコンニヤクが得られるものである
(57)【要約】【課題】  緑茶と玄米の混合物からなる健康食品及び健康食品の原料を提供する。【解決手段】緑茶と玄米をそれぞれ丸ごと製粉してブレンドした食品及び健康食品の原料【特許請求の範囲】
【請求項１】
緑茶と玄米をそれぞれ丸ごと製粉しブレンドした緑茶と玄米による健康食品、又は製粉しブレンドした緑茶と玄米を主原料として製品とした健康食品。
【発明の詳細な説明】
【技術分野】
【０００１】  本発明は、緑茶と玄米のもつ豊富な栄養分を丸ごと引き出し摂取することを目的とし、嗜好品としての緑茶と主食としての玄米をブレンドしたものからなる健康食品に関するものである。
【背景技術】
【０００２】  従来、玄米の粉末にきな粉と、潰した黒砂糖、脱脂粉乳、黒ゴマの粉末、イチョウの葉の粉末、しょうがの粉末、それに緑茶の粉末と味噌を用いた玄米せんべいや、玄米の製造過程に発酵過程を加えた発酵玄米入り緑茶があったが、玄米と緑茶の粉末のみのものは全く見られない。
【発明の開示】
【発明が解決しようとする課題】
【０００３】（イ）従来、お茶と米は日本の食文化に欠かすことのできないものとして親しまれてきたが、「飲料としてのお茶」と「主食としての米」との考え方から、「緑茶はお湯で煎じる」、玄米は精米をして白米にする」との風味を主体とした考え方から、それぞれが持つ栄養価値については二の次となっている。
そのために、次のような問題点があった。
（ロ）緑茶には、カテキン、カフェイン、たんぱく質アミノ酸等の成分があるが煎じたものを摂取するため、栄養分の多くが体内に入っておらず、茶殻として捨てられている。
（ハ）玄米には、鉄、カリウム、ビタミンＢ１、食物繊維等が多く含まれているが白米として摂取しているため、体に有益な栄養分の多くが米ぬかと一緒に捨てられてしまっている。
玄米と白米の、比較（１００ｇ当たり）については、カリウムは玄米２３０ｍｇに対し白米８８ｍｇ、ビタミンＢ１については玄米０．４１ｍｇに対し白米０．０８ｍｇとなっている。
本発明は、これらの問題点を解決するためになされたものである。
【課題を解決するための手段】
【０００４】  緑茶と玄米をそれぞれ丸ごと製粉してブレンドすることにより、豊富な栄養分を摂取でき、粉末にして混ぜ合わせているため、湯や茶、コーヒー、ミルク等の飲料、また料理やお菓子等の材料に適量を加えるなど、簡単に摂取することかできる。
又、パン、菓子及びそば、うどんなど穀物の加工品に原料として加えることにより豊富な栄養分を効率よく摂取できる。
【発明の効果】
【０００５】（イ）嗜好品としての緑茶と主食としての玄米のみでなく、健康食品としての効能も活用され、体に良いとされる成分のすべてを体内に摂取できる。
（ロ）緑茶と玄米のみのブレンドにより、渋み、甘み等にこうばしさが加わり新しい風味が出来あがり、各人にあった美味しさを選択できる。
（ハ）製造方法がシンプルで、消耗品として安価なコストで生産できる。
【発明を実施するための最良の形態】
【０００６】  以下、本発明の実施の形態を説明する。
（イ）緑茶を過熱してから粉引きで製粉する。
（ロ）玄米を過熱してから粉引きで製粉する。
（ハ）緑茶と玄米の粉末を混ぜ合わせる。
加工比率は次の通りだが、用途又は好みにより変えることができる
緑茶の粉末３０％
玄米の粉末７０％
本発明は、以上の構成よりなっている。
(57)【要約】【課題】光重合器におけるライトガイドを可撓性のあるものにし、該ライトガイドを術者が自由に変形可能とし、操作性を良く、更には、被照射場所へのアプローチを容易にして、患者の負担を軽くする。【解決手段】光重合器１０内には、光源を有し、該光源からの光が光導体２０を通して伝達され、その先端から照射される光によってレジン等の光重合を行う。光導体２０は、可撓性のチューブ（クラッド部材）２２と、該チューブ２２内に封入された光透過性の液体（コア部材）２１とから成る液体ファイバーである。この液体ファイバー２０は、術者によって任意所望の形状に変形可能である。【選択図】図１
2007159602.tif 000002
【特許請求の範囲】
【請求項１】
光源と、該光源からの光が導入される光導体とを有し、該光導体の先端から照射される光によってレジン等の光重合を行う光重合器において、前記光導体は、可撓性のチューブと、該チューブ内に封入された光透過性液体とからなる液体ファイバーであることを特徴とする光重合器。
【請求項２】
前記可撓性のチューブは、ゴム又は軟質のプラスチックからなることを特徴とする請求項１に記載の光重合器。
【請求項３】
前記ゴム又は軟質プラスチック内に鉛の棒が挿入されていることを特徴とする請求項２に記載の光重合器。
【発明の詳細な説明】
【技術分野】
【０００１】
本発明は、歯科治療において、例えば、歯牙形成後の修復材として使用する光硬化性レジンを硬化させるための光重合器に係り、特に、光源からの光を光導体（ライトガイド）を通して、光硬化性レジンに照射して該レジンを硬化するための光重合器に係り、特に、光導体（ライトガイド）として液体ファイバーを使用し、術者が光導体（ライトガイド）を任意所望の形状に変形できるようにし、照射したい部位への光照射を容易としたものである。
【背景技術】
【０００２】
歯科治療においては、歯牙成形後の修復材として光重合レジンを用いるが、この光重合レジンは、例えば、歯牙の修復材として使用する場合、歯牙の破損箇所へ接着した後、光を照射して硬化させ、硬化後、切削，研磨等を行って、元の歯牙と一体化させて破損前の歯牙の審美性を持たせて修復するものである。
【０００３】
図３は、従来の光照射器の一例としての光重合器を説明するための概略構成図で、図中、１０は光重合器、１１は光源、１２は楕円反射ミラー、１３はフィルター、１４はライトガイド（光ファイバー，石英，プラスチック等の光導体）、１５はリード線で、周知のように、光源１１は楕円反射ミラー１２の焦点位置にあり、該光源１１からの光を楕円反射ミラー１２で反射する。この反射光は、前記楕円反射ミラーの焦点と対をなす他方の焦点位置近傍にその受光端が配設されたライトガイド１４内に導入され、該ライトガイド１４を通して伝送されて、例えば、歯牙１内に充填された光重合レジン２に照射される。なお、フィルター１３は、光源１１からの光のうち、光重合に必要な光波長成分の光のみを通過させるもので、例えば、４７８ｎｍの波長成分の光のみを透過させる。
【発明の開示】
【発明が解決しようとする課題】
【０００４】
上述のように、光重合器において、ライトガイド（光導体）１４は、光重合レジンに光を照射して該光重合レジンを硬化させるものであるが、従来、ライトガイド１４は、石英、プラスチック等の固体光導体で構成されており、その形状は固定的なものであり、そのため、場所によっては、光照射部位へのアプローチが難しく、患者に口を大きく開けさせたり、顔を横にさせたり等、患者に負担をかける等使い勝手が悪い面があった。
【０００５】
本発明は、上述のごとき不都合を解消するためになされたもので、特に、光重合器におけるライトガイドを可撓性のものにし、該ライトガイドを術者が自由に変形可能として操作性を良く、更には、被照射場所へのアプローチを容易にして、患者の負担を軽くすることを目的としてなされたものである。
【課題を解決するための手段】
【０００６】
請求項１の発明は、光源と、該光源からの光が導入される光導体とを有し、該光導体の先端から照射される光によってレジン等の光重合を行う光重合器において、前記光導体は、可撓性のチューブと、該チューブ内に封入された光透過性液体とからなる液体ファイバーであることを特徴としたものである。
【０００７】
請求項２の発明は、請求項１の発明において、前記可撓性のチューブは、ゴム又は軟質のプラスチックからなることを特徴としたものである。
【０００８】
請求項３の発明は、請求項２の発明において、前記ゴム又は軟質プラスチック内に鉛の棒が挿入されていることを特徴としたものである。
【発明の効果】
【０００９】
本発明によると、術者は、光重合器のライトガイドを手で好きな形状に変えることができるので、光照射がしにくい部位への光照射であっても、ライトガイドの形状を変形することによって、光照射部位へのライトガイドのアプローチを容易にし、患者の負担を軽減することができる。
【発明を実施するための最良の形態】
【００１０】
図１は、本発明による光重合器の要部（ライトガイド）を説明するための図で、図中、２０は本発明によって使用されることになった液体ファイバーで、該液体ファイバー２０は、光の透過性に優れた無毒で非可燃性の液体（コア部材）２１と、該コア部材２１が封入された可撓性のチューブ（クラッド部材）２２とから成り、該チューブ２２の両端は石英ガラス等で封止してあり、コア部材（液体）２１がチューブ２２から流出するようなことはない。
【００１１】
本発明による光重合器は、従来の固体ライトガイドに代って可撓性の液体ファイバーを使用しているので、変形性に優れ、例えば、図２（Ａ），図２（Ｂ）に示すように、術者は、使用現場において、手で任意所望の形状に変形して使用することができ、従来の固体ライトガイドではアプローチできないような場所でも、その場、その場に応じて、自由に変形して、被照射部位へ容易にアプローチできるようにすることができる。
【００１２】
図１において、図１（Ａ）は液体ファイバー２０の光放射端側の斜視図、図１（Ｂ）は、図１（Ａ）のＢ−Ｂ線断面図、図１（Ｃ）は図１（Ａ）のＣ−Ｃ線断面図で、可撓性チューブ２２は、好ましくは、ゴム又は軟質プラスチック材で構成され、更には、これらゴム又は軟質プラスチック材２２の中に数条の銅線２３が埋め込まれており、これによって、変形性、保形性を保ち、使い勝手の良いものにしている。
【図面の簡単な説明】
【００１３】
【図１】本発明による液体ファイバーを用いた要部構成図である。
【図２】本発明による光重合器の使用状態の例を示す仮想図面である。
【図３】本発明が適用される従来の固体ライトガイドを用いて光重合器の一例を説明するための図である。
【符号の説明】
【００１４】
１…歯牙、２…光重合レジン、１０…光重合器、１１…光源、１２…楕円反射ミラー、１３…フィルター、１４…固体ライトガイド、１５…リード線、２０…液体ファイバー（可撓性のライトガイド）、２１…光透過性の液体（コア部材）２２…可撓性チューブ（クラッド部材）、２３…銅の棒。
【図１】
2007159602.tif 000003
【図２】
2007159602.tif 000004
【図３】
2007159602.tif 000005
(57)【要約】      （修正有）【課題】荷重を加えても壁面からずり落ちにくいマグネット式の吊下具を提供する。【解決手段】マグネット３を、磁束を収束する断面コ字状のヨーク３１内に収納し、板状のベース２にはフック４が設けられた吊下具１であって、壁面Ｗに沿ってほぼ平行に取り付けられる設置面２１の一部に壁面Ｗに対して離反する方向に傾斜する傾斜面２２を設け、設置面２１と傾斜面２２に跨るように滑り止めシート５を貼り付けているのでシート５の高摩擦により確実に壁面にグリップさせることができる。【選択図】  図１
2007159683.tif 000002
【特許請求の範囲】
【請求項１】
壁面などの磁性体からなる被取付面に対して磁着力を発揮するマグネットを有するベースを有し、上記ベースと上記被取付面との間に滑り止めシートが介在される吊下具において、
上記ベースには、上記被取付面に沿ってほぼ平行に取り付けられる設置面を有し、上記設置面の一部が、上記被取付面に対して離反する方向に傾斜していることを特徴とする吊下具。
【請求項２】
上記傾斜面は上記ベースの下端側に設けられており、上記滑り止めシートは、上記設置面と上記傾斜面とにかけて貼り付けられることを特徴とする請求項１に記載の吊下具。
【発明の詳細な説明】
【技術分野】
【０００１】
本発明は、フックなどの吊下手段を備えたマグネット式の吊下具に関し、さらに詳しく言えば、吊下加重によって吊下具が下にずり落ちないように改良された吊下具に関する。
【背景技術】
【０００２】
図２に示すように、マグネット式の吊下具１は、板状のベース２内に埋め込まれたマグネット３の磁着力によって壁面などの被設置面Ｗに沿って取り付けられる。通常、ベース２には、例えば衣類や雑貨類を引っ掛けておくための吊下手段としてのフック４が設けられている（例えば特許文献１参照）。
【０００３】
ところで、被取付面Ｗが、摩擦係数（μ）の小さな平滑面である場合、フック４に物を吊り下げると、低μであるため、設計上の許容荷重よりも少ない荷重で吊下具１が下にずり落ちる場合がある。また、被取付面Ｗの上に樹脂コーティングなどの化粧処理が施されているような場合でも、被取付面Ｗとマグネット面との間にコーティング層が介在するため、磁着力が弱まり、許容荷重が小さくなることがある。
【０００４】
そこで、吊下具１が許容荷重よりも小さな荷重でずり落ちるのを防止する方法の１つとして、図２に示すように、壁面Ｗとベース２の設置面２１との間に高摩擦の滑り止めシート５を貼り付けて、ベース２が滑り落ちるのを防止する方法が提案されている。
【０００５】
しかしながら、上述した滑り止めシート５を用いた場合には次のような問題があった。すなわち、滑り止めシート５を介在させてフック４に荷重を加えると、吊下具１は、一時的にはその位置を保持するが、経時的に使用を続けた場合、図２に示すように、滑り止めシート５の下端に応力が集中するため、下端側が徐々に捲り上がることがあった。
【０００６】
滑り止めシート５の一部が捲り上がると、壁面Ｗに対する摩擦力が低下するため、突然、吊下具１が壁面Ｗからずり落ちたり、脱落するおそれがあった。また、一度捲れ上がった滑り止めシート５は再使用できないため、新しい滑り止めシート５を張り直さなくてはならず、面倒であった。
【０００７】
【特許文献１】特開２００５−２１８４８７号公報
【発明の開示】
【発明が解決しようとする課題】
【０００８】
そこで、本発明は上述した課題を解決するためになされたものであって、その目的は、荷重を加えても壁面からずり落ちにくいマグネット式の吊下具を提供することにある。
【課題を解決するための手段】
【０００９】
上述した目的を達成するため、本発明は以下に示すいくつかの特徴を備えている。請求項１に記載の発明は、壁面などの磁性体からなる被取付面に対して磁着力を発揮するマグネットを有するベースを有し、上記ベースと上記被取付面との間に滑り止めシートが介在される吊下具において、上記ベースには、上記被取付面に沿ってほぼ平行に取り付けられる設置面を有し、上記設置面の一部が、上記被取付面に対して離反する方向に傾斜していることを特徴している。
【００１０】
請求項２に記載の発明は、上記請求項１において、上記傾斜面は上記ベースの下端側に設けられており、上記滑り止めシートは、上記設置面と上記傾斜面とにかけて貼り付けられることを特徴としている。
【発明の効果】
【００１１】
本発明によれば、ベースの設置面の一部が被取付面から離反する方向に傾斜した傾斜面を有し、設置面と傾斜面に跨るように滑り止めシートを貼り付けることにより、滑り止めシートに係る応力を分散させることができ、吊下具がずり落ちるのを確実に防止することができる。
【発明を実施するための最良の形態】
【００１２】
以下、本発明の実施形態について図面を参照しながら説明する。図１は、本発明の一実施形態に係る吊下具を模式的に示した断面図である。なお、上述した従来例と同一もしくは同一と見なされる箇所には、同じ参照符号を付した。
【００１３】
図１に示すように、この吊下具１０は、内部にマグネット３が組み込まれた板状のベース２を有し、ベース２には吊下用のフック４が設けられている。この例において、マグネット３は、着磁力の強いネオジウム系マグネットが用いられているが、一般的なフェライト系マグネットなどであってもよい。マグネット３は、磁束を収束するための断面コ字状のヨーク３１内に収納されている。
【００１４】
ベース２は合成樹脂の成型品からなり、一方の面（図１では左側面）には、壁面Ｗに沿って平行な設置面２１が設けられている。設置面２１の下端側には、設置面２１の下端から壁面Ｗから離反する方向に傾斜した傾斜面２２が設けられている。
【００１５】
傾斜面２２の角度は仕様に応じて任意に設定でき、壁面Ｗに対して離反する方向に傾斜されていればよい。設置面２１には滑り止めシート５が傾斜面２２にも跨るように貼り付けられている。
【００１６】
滑り止めシート５は、高摩擦な素材からなるシート基材からなり、一方の面に貼付用の粘着面が形成されている。この例において、シート基材はミクロ発泡された柔軟な合成樹脂シートが用いられているが、これ以外に例えばエンボス加工など表面が高摩擦なシート体であれば、仕様に応じて任意に変更可能である。
【００１７】
これによれば、吊下具１を壁面Ｗに取り付けると、吊下具１に加わる応力は設置面２１と傾斜面２２の境界に集中し、その一部が傾斜面２２方向に分散されることにより、滑り止めシート５の端部が捲れ上がることなく、確実に壁面Ｗにグリップさせることができる。
【００１８】
この例において、フック４は一般的な鉤型であるが、これ以外に被吊下物を支持可能な構造であれば、仕様に応じて任意に変更可能である。さらには、例えば紙やメモ用紙などを挟むためのものであってもよく、マグネット方式を用いて壁面Ｗに取り付けられる構成を備えていればよい。
【図面の簡単な説明】
【００１９】
【図１】本発明の一実施形態に係る吊下具を模式的に示した断面図。
【図２】従来の吊下具の断面図。
【符号の説明】
【００２０】
１  吊下具
２  ベース
２１  設置面
２２  傾斜面
３  マグネット
４  フック
５  滑り止めシート
【図１】
2007159683.tif 000003
【図２】
2007159683.tif 000004
(57)【要約】【課題】ペンギン等の動物を単純な構造で軽快に二足歩行あるいは小走りさせるために考案されたものである。【解決手段】ゼンマイ等で回転するクランクとスリットの中を動くアームによって、左右に体重移動しながら小走りのように二足歩行することを実現した。【選択図】図１
2007159680.tif 000002
【特許請求の範囲】
【請求項１】
動力によって回転するクランクにより体重移動しながら二足歩行あるいは二足走行することを特徴とする歩行装置。
【請求項２】
動力にゼンマイを使用した場合、本体の振り子様運動により等速運動を実現した歩行装置。
【請求項３】
足を動かすための特別なギア装置等を必要とせず極めて単純なしくみで二足歩行を実現した歩行装置。
【発明の詳細な説明】
【技術分野】
【０００１】
本発明はペンギン等二足歩行する玩具その他のために考えられた。
【背景技術】
【０００２】
従来コンピュータを搭載しない二足歩行する玩具は片足を上げた時に倒れないようにするために足の一部を反対側まではり出しコの字型の足を交互にからめながらゆっくりと歩くもの、あるいは摺り足で移動するものであった。
【発明の開示】
【発明が解決しようとする課題】
【０００３】
従来のコンピュータを搭載しない二足歩行玩具は前述のような仕組みのため、動きが極めて鈍重で軽快に動くことができず、主にロボットに使われることが多く、また足を動かすための複雑なギア装置を必要とした。    また、ゼンマイを動力とした場合は等速装置を必要とした。
【課題を解決するための手段】
【０００４】
本発明では左右の足は完全に連結されておりその中央から上にのびるロッド、及びロッドに固定されたアーム、アームを駆動するクランクをもった動力からなっていて、足を動かすための特別なギアを必要としない。この発明によれば、クランクが回転するだけで、左右の足への体重の移動及び足の前後運動が同時に行われあたかも小走りするかのように歩行し、その際本体が左右に振り子のように動くため動力にゼンマイを使用した場合は等速装置の役目もかねている。そのためコスト的にも非常に安価に二足歩行が実現されている。
【発明の効果】
【０００５】
特別なギア装置や等速装置を必要としない極めて単純な構造のため、製造コストの低減、またペンギン等の玩具に使用した場合、本体の左右への体重移動や、左右への向きの繰り返しが愛らしさをかもし出すことができる。また足の面を外側に向かってわずかに角度をつけておけば歩行中は片足を完全に空中にあげることも可能である。
【実施例】
【０００６】
足６ａ、６ｂとも完全に連結されており中央から上にのびるロッド５、ロッドに取り付けられたアーム３等は全て完全に固定的に連結されている。７は支点であらゆる方向に回転できるように余裕が持たせてある。図１はクランクが一定方向に回転している時の一つの状態を表わしたものである。アーム３はスリット８の中にあるためにクランクのこの位置では本体が傾き重心が右足に乗っており、しかもクランクの回転のために足６ｂは後ろ方向に回転する。この時足６ａも前に回転するが重心の乗っている６ｂの摩擦が強いために本体は前進することになる。図２では逆の事が起きる。また足の外側に向かってわずかに上に向かって角度をつけておけば歩行中に片足を持ち上げることも可能である。なお足が回転すれば本体も反作用で逆回転するが次の足の運動のエネルギーとなるためロスとはならない。
【図面の簡単な説明】
【０００７】
【図１】本発明の体重が右足に乗った状態の正面図である。
【図２】本発明の体重が左足に乗った状態の正面図である。
【図３】本発明の側面図である。
【図４】本発明の平面図である。
【図５】本発明の運動サイクル図である。
【符号の説明】
【０００８】
１    玩具本体
２    クランク
３    アーム
４    ゼンマイムーブメント
５    ロッド
６a   左足
６b   右足
７    支点
８    スリット
【図１】
2007159680.tif 000003
【図２】
2007159680.tif 000004
【図３】
2007159680.tif 000005
【図４】
2007159680.tif 000006
【図５】
2007159680.tif 000007
(57)【要約】【課題】従来から電気ひげそり器でひげを剃る場合、剃ったひげが外部にこぼれたり飛散したりして不潔で、また衣服及び室内を汚すなどの問題があったが、場合により拭き取る程度でほとんど放置されていた。特にひげの濃い人の場合は影響度も大きく、小さな子供や病人などが居る場合は多々問題視されていた。【解決手段】電気ひげそり器先端ひげそり部の外周に密着し、ひげそり部全体又は一部を覆うように構成した、柔軟性のあるゴム材などからなるひげ飛散防止具を取り付けることにより、剃ったひげが外部に落下又は飛散しないようにする。【選択図】  図１
2007159952.tif 000002
【特許請求の範囲】
【請求項１】
電気ひげそり器先端ひげそり部の外周に密着し、ひげそり部全体又は一部を覆うように構成し、柔軟性のあるゴム材などからなることを特徴とするひげ飛散防止具。
【請求項２】
ひげ飛散防止具の一端内面部に突起部又は折り返し部を設け、電気ひげそり器先端ひげそり部の一部外周と密着構造としたことを特徴とする請求項１記載のひげ飛散防止具。
【発明の詳細な説明】
【技術分野】
【０００１】
本発明は、電気ひげそり器のひげ飛散防止技術に関する。
【背景技術】
【０００２】
従来から電気ひげそり器でひげを剃る場合、剃ったひげが外部にこぼれたり飛散したりして不潔で、また衣服及び室内を汚すなどの問題があったが、場合により拭き取る程度でほとんど放置されていた。特にひげの濃い人の場合は影響度も大きく、小さな子供や病人などが居る場合は多々問題視されていた。
またこれらを解決するために、電気ひげそり器本体内部で構造をいろいろ工夫されたものがあるが、十分ではなく問題が残っていた。
【特許文献１】実願 昭５７−１８０３８３
【発明の開示】
【発明が解決しようとする課題】
【０００３】
本発明は、このような従来の課題を解決するもので、電気ひげそり器先端ひげそり部の外周を覆うように密着した、柔軟性のあるゴム材などからなるひげ飛散防止具を提供することにより、剃ったひげが外部に落下又は飛散しないようにする。
【課題を解決するための手段】
【０００４】
上記の課題を解決するために本発明の第１の手段は、柔軟性のあるゴム材などからなり、電気ひげそり器先端ひげそり部の外周に密着し、ひげそり部全体又は一部を覆うように構成したもの。
そして第２の手段として、ひげ飛散防止具の一端内面部に突起部又は折り返し部を設け、電気ひげそり器先端ひげそり部の一部外周との密着性を更に高めた構造としたもの。
【発明の効果】
【０００５】
本発明によれば、電気ひげそり器でひげを剃る場合、外部に剃ったひげがこぼれたり飛散したりすることがなくなり、常に清潔で、また衣服及び室内を汚す等の問題がなくなる。
【発明を実施するための最良の形態】
【０００６】
上記第１の手段により、電気ひげそり器でひげを剃っても、剃ったひげが外部に落下又は飛散せずに、ひげ飛散防止具の内面に保持される。
そして第２の手段により、電気ひげそり器とひげ飛散防止具内面の密着性が更に向上し、剃ったひげが外部に落下又は飛散せずに、全てひげ飛散防止具の内面に保持される。
【実施例１】
【０００７】
図１は、本発明の第1の手段による構成を示す断面図で、１は柔軟性のあるゴム材などからなるひげ飛散防止具、２は電気ひげそり器本体部、３は電気ひげそり器先端ひげそり部であり、ひげ飛散防止具１は電気ひげそり器先端ひげそり部３の外周に密着し、ひげそり部全体を覆うように構成されている。
【実施例２】
【０００８】
図２は、本発明の第２の手段による構成を示す断面図で、２は電気ひげそり器本体部、３は電気ひげそり器先端ひげそり部であり、４は一端内面部に突起部４-１を備えたひげ飛散防止具から構成されている。
【実施例３】
【０００９】
図３は、本発明の第３の手段による構成を示す断面図で、２は電気ひげそり器本体部、３は電気ひげそり器先端ひげそり部であり、５は一端内面部に折り返し部５-１を設けたひげ飛散防止具から構成されている。
【００１０】
図４は、その一実施例の動作説明図で、実施例３を代表にした動作説明図である。２は電気ひげそり器本体部、３は電気ひげそり器先端ひげそり部であり、５は一端内面部に折り返し部５-１を設けたひげ飛散防止具で、６は人のひげそり面、７は剃った後のひげ屑を示す。図からわかるように、電気ひげそり器先端ひげそり部３で剃った後のひげ屑７は、ひげ飛散防止具５の内面に全てたまり、外部に飛散或いは落下することはない。
【図面の簡単な説明】
【００１１】
【図１】本発明ひげ飛散防止具の実施形態の構成を示す断面図（実施例１）
【図２】本発明ひげ飛散防止具の実施形態の構成を示す断面図（実施例２）
【図３】本発明ひげ飛散防止具の実施形態の構成を示す断面図（実施例３）
【図４】本発明ひげ飛散防止具の実施例３の動作説明を示す断面図
【符号の説明】
【００１２】
１  ひげ飛散防止具
２  電気ひげそり器本体部
３  電気ひげそり器先端ひげそり部
４  ひげ飛散防止具の第２の実施形態
４-１  突起部
５  ひげ飛散防止具の第３の実施形態
５-１  折り返し部
６  人のひげそり面
７  剃った後のひげ屑
【図１】
2007159952.tif 000003
【図２】
2007159952.tif 000004
【図３】
2007159952.tif 000005
【図４】
2007159952.tif 000006